(57)【特許請求の範囲】
【請求項１】
商品を内側に収容した複数の突出部と前記突出部の周囲に設けられたフランジ部を有するプラスチック成形体に、破断可能な封止シートが取り付けられて前記突出部の開口部が閉鎖されたＰＴＰシートを収容するＰＴＰシート用包装体であって、一枚のブランクシートから一体的に打ち抜かれた包装体形成片から成り、前記包装体形成片には、前記ＰＴＰシートを挟んで収容する袋体を形成する一対の側面板と、前記一対の側面板の一方の側面板の裏面に位置し前記ＰＴＰシートの前記突出部が係合される係止板が設けられ、前記係止板とは前記ＰＴＰシートを挟んで反対側に位置する他方の側面板には、前記他方の側面板の面方向に力を加えると、前記他方の側面板が前記係止板から離れる方向にたわむ折り曲げ線が設けられていることを特徴とするＰＴＰシート用包装体。
【請求項２】
前記係止板には、前記ＰＴＰシートの前記突出部が嵌合される透孔が設けられている請求項１記載のＰＴＰシート用包装体。
【請求項３】
前記係止板には、前記ＰＴＰシートの前記突出部の、前記ＰＴＰシート用包装体の開口部側の側面に当接する当接縁部が設けられている請求項１記載のＰＴＰシート用包装体。
【請求項４】
前記一対の側面板は折罫線を介して連接され、前記折罫線と平行に一対の前記折り曲げ線が設けられている請求項２または３記載のＰＴＰシート用包装体。
【発明の詳細な説明】
【技術分野】
【０００１】
この発明は、ＰＴＰシートを包装しＰＴＰシートを摺動させて取り出すＰＴＰシート用包装体に関する。
【背景技術】
【０００２】
従来、薬剤を収容したＰＴＰシートから錠剤やカプセル等を不用意に取り出すことを防ぐために、チャイルドレジスト機能が付いた包装体がある。例えば、ＰＴＰシートを包装体の中に摺動させて入れるとロックされ、子供が不用意に取り出すことができず、使用者がＰＴＰシートを取り出す時は、所定の操作でロックを解除してＰＴＰシートを摺動させて取り出すことができる。このような包装体は、従来いろいろな形状のものが提案されている。
【０００３】
例えば、特許文献１に開示されている包装は、スリーブとスライドとを備えている。スライドはＰＴＰシートであり、薬剤を収容する薬剤領域が突出して設けられ、スリーブは、隔離された一対の主面と、一対の主面を接続する側壁が設けられ、側壁にはスライド開口が形成されている。スライド開口の周縁にはショルダ部が設けられ、収容されたＰＴＰシートはショルダ部に当接してスリーブから取り出すことができない。スリーブの内側には、ＰＴＰシートをショルダ部側に押圧するフラップが設けられている。一方の主面の、フラップに対面する位置には、指を入れてフラップを押すための切り欠きが形成されている。そして、ＰＴＰシートをスライド開口から取り出す時は、切り欠きに指を入れてフラップを押してＰＴＰシートをショルダ部から離して係合を解除して、取り出したＰＴＰシートから錠剤等を取り出すものである。
【０００４】
また、特許文献２に開示されているチャイルドレジスタントおよびシニアフレンドリー機能を有する丸薬ディスペンサブリスターパッケージは、ブリスターカードと外部パッケージから作られている。ブリスターカードには、緩衝機構を形成するプラスチック製のリベットアセンブリが設けられ、外部パッケージの内側パネルには、リベットアセンブリに当接してロックするリップが切抜きにより設けられている。また、内側パネルの外側に重ねられている底面パネルには、リップに対面する位置に、押し下げ可能なボタンが部分切り抜きにより形成されている。ブリスターカードを外部パッケージから取り出す時は、ボタンを押してブリスターパックのリベットアセンブリをリップから離して、取り出したブリスターカードから錠剤などを取り出すものである。
【先行技術文献】
【特許文献】
【０００５】
【特許文献１】特表２０１０−５１２８８１号公報
【特許文献２】特表２０１３−５３６１３１号公報
【発明の概要】
【発明が解決しようとする課題】
【０００６】
上記背景技術の場合、包装が箱体であり厚みを有し、コンパクトではない。またスライダをロックする構造が複雑であり、コストがかかり、組立の作業効率が良くないものである。また、引用文献１ではＰＴＰシートにプルタブと側方延在部が設けられ、引用文献２ではＰＴＰシートにリベットアセンブリが設けられ、いずれも一般的なＰＴＰシートを包装するものではなく、汎用性がないものである。
【０００７】
この発明は、上記背景技術の問題点に鑑みてなされたものであり、一枚の包装体形成片を組み立てて袋体に作られた簡単な構造であり、一般的なＰＴＰシートを収容して子供が取り出すことは難しく、大人には取り出しやすいＰＴＰシート用包装体を提供することを目的とする。
【課題を解決するための手段】
【０００８】
本発明は、薬剤等の商品を内側に収容した複数の突出部と前記突出部の周囲に設けられたフランジ部を有するプラスチック成形体に、破断可能な封止シートが取り付けられて、前記突出部の開口部が閉鎖されたＰＴＰシートを収容するＰＴＰシート用包装体であって、一枚のブランクシートから一体的に打ち抜かれた包装体形成片から成り、前記包装体形成片には、前記ＰＴＰシートを挟んで収容する袋体を形成する一対の側面板と、前記一対の側面板の一方の側面板の裏面に位置し前記ＰＴＰシートの前記突出部が係合される係止板が設けられ、前記係止板と前記ＰＴＰシートを挟んで反対側に位置する他方の側面板には、前記他方の側面板の面方向に力を加えると、前記他方の側面板が前記係止板から離れる方向にたわむ折り曲げ線が設けられているＰＴＰシート用包装体である。このＰＴＰシート用包装体は、前記側面板の面に交差する方向に力を加えることにより、収容空間が広がり、前記ＰＴＰシートの前記突出部が前記係止板から離れて係合が解除される。
【０００９】
また、前記係止板には、前記ＰＴＰシートの前記突出部が嵌合される透孔が設けられている。
【００１０】
または、前記係止板には、前記ＰＴＰシートの前記突出部の、前記ＰＴＰシート用包装体の開口部側の側面に当接する当接縁部が設けられているものでもよい。
【００１１】
前記一対の側面板は折罫線を介して連接され、前記折罫線と平行に一対の前記折り曲げ線が設けられているものである。
【発明の効果】
【００１２】
本発明のＰＴＰシート用包装体は、一枚の包装体形成片を組み立てて袋体に作られた簡単な構造であり、ＰＴＰシートを簡単にロックして子供が取り出すことは難しく、成人には簡単にロックを解除して取り出しやすいものである。しかも、ワンタッチでロックを解除することができ、操作が単純で簡単である。市販の一般的なＰＴＰシートを収容し、保護することができ、薄形でコンパクトな形状であり、手軽に使用可能である。また、ＰＴＰシートを収容して容易且つ確実に保護することができ、携帯する場合にも好都合である。
【図面の簡単な説明】
【００１３】
【図１】この発明の第１実施形態のＰＴＰシート用包装体の正面図（ａ）と右側面図（ｂ）、背面図（ｃ）である。
【図２】この発明の第１実施形態のＰＴＰシート用包装体の展開図である。
【図３】ＰＴＰシートの正面図（ａ）と右側面図（ｂ）、底面図（ｃ）である。
【図４】この発明の第１実施形態のＰＴＰシート用包装体のロック状態を示す横断面図である。
【図５】この発明の第１実施形態のＰＴＰシート用包装体の解除状態を示す横断面図である。
【図６】この発明の第２実施形態のＰＴＰシート用包装体の正面図（ａ）と右側面図（ｂ）、背面図（ｃ）である。
【図７】この発明の第２実施形態のＰＴＰシート用包装体の展開図である。
【図８】この発明の第２実施形態のＰＴＰシート用包装体のロック状態を示す横断面図である。
【図９】この発明の第２実施形態のＰＴＰシート用包装体の解除状態を示す横断面図である。
【発明を実施するための形態】
【００１４】
以下、この発明の実施形態について図面に基づいて説明する。図１〜図５はこの発明の第１実施形態を示すもので、この実施形態のＰＴＰシート用包装体１０は、紙製の一枚のブランクシートを打ち抜いて形成された包装体形成片１２で作られている。
【００１５】
図２は包装体形成片１２を表面から見た展開図であり、包装体形成片１２は、一方向に長い矩形の第１側面板１４が設けられている。第１側面板１４は、収容する後述のＰＴＰシート３２の大きさに対して、短辺１４ａ，１４ｂはＰＴＰシート３２の幅より長く設けられ、短辺１４ａ，１４ｂに交差する長辺はＰＴＰシート３２の長手方向とほぼ同じ長さで設けられている。第１側面板１４の、一方の短辺１４ａの中心には、第１側面板１４の中央にくぼむ円弧形状の凹部１６が形成されている。
【００１６】
第１側面板１４の、短辺１４ａ，１４ｂに交差する一対の長辺の、図２において左側に位置する一方には、矩形の第２側面板１８が折罫線２０で区切られて設けられている。第２側面板１８は、第１側面板１４との連接方向の長さは第１側面板１４より僅かに長く、連接方向に交差する幅は第１側面板１４より僅かに短い矩形である。第２側面板１８の、短辺１４ａに連続する短辺１８ａは、短辺１４ａよりも第２側面板１８の図面下方にずれた位置にあり、短辺１４ａに対して平行に位置している。短辺１８ａの反対側の短辺１８ｂは、第１側面板１４の、短辺１４ａと反対側の短辺１４ｂの、延長線上に位置している。第２側面板１８には、短辺１８ａ，１８ｂに交差する一対の長辺の少し内側に、長辺に対してほぼ平行な直線である折り曲げ線２２が各々設けられている。一対の折り曲げ線２２は、短辺１８ａと短辺１８ｂの間に貫通している。折り曲げ線２２には、折り曲げやすいように破断線が所定間隔で設けられている。一対の折り曲げ線２２の間隔は、後述するＰＴＰシート３２の幅より広く設定されている。短辺１８ａの中心には、第２側面板１８の中央にくぼむ円弧形状の凹部２４が形成されている。
【００１７】
第２側面板１８の、第１側面板１４と反対側の長辺には、矩形の係止板２６が折罫線２８で区切られて設けられている。係止板２６は、第２側面板１８との連接方向の長さが第２側面板１８及び第１側面板１４より僅かに短く、連接方向に交差する幅は第２側面板１８より僅かに長い矩形である。係止板２６の、短辺１８ａに連続する短辺２６ａは、短辺１８ａよりも図面上方にずれた位置にあり、短辺１８ａに対して平行に位置し、第１側面板１４の短辺１４ａの延長線上に位置している。短辺２６ａの反対側の短辺２６ｂは、短辺１８ｂよりも係止板２６の図面上方にわずかにずれた位置にあり、短辺１８ｂに対して平行に位置している。係止板２６には、後述するＰＴＰシート３２のプラスチック成形体３４突出部３４ａが嵌合される透孔３０が設けられている。透孔３０は円形であり、第２側面板１８との間の折罫線２８に平行に５個が等間隔に並んだ列が２列設けられ、合計１０個が形成されている。短辺２６ａの中心には、係止板２６の中央にくぼむ円弧形状の凹部３１が形成されている。
【００１８】
ＰＴＰシート用包装体１０はＰＴＰシート３２を包装するものであり、ここでＰＴＰシート３２について図３に基づいて説明する。ＰＴＰシート３２は、プラスチック成形体３４が設けられ、プラスチック成形体３４には、錠剤３６を収容する突出部３４ａと、突出部３４ａの周縁部のフランジ部３４ｂが設けられている。ここでは、１０個の突出部３４ａが２列に並べられて設けられたものである。プラスチック成形体３４のフランジ部３４ｂには、突出部３４ａの突出方向と反対の面に薄いアルミ製の薄形シート３８が貼り付けられ、突出部３４ａが閉鎖されている。ＰＴＰシート３２の長手方向の一方の端部には、商品名等が印刷された表示部３９が設けられている。
【００１９】
次に、ＰＴＰシート用包装体１０の組立方法について説明する。ここでは、図２が包装体形成片１２の表面を見たものであり、包装体形成片１２の表面が凸になる折り方を正折り、そして裏面が凸になる折り方を逆折りと称する。
【００２０】
まず、第２側面板１８の一対の折り曲げ線２２を、鈍角に裏折りし、再び平坦に伸ばし、裏折りしやすいようにくせをつける。次に第２側面板１８の裏面に、折り曲げ線２２と長辺の間の部分に、糊４０を折り曲げ線２２に対して平行な直線状に各々塗布する。また、短辺１８ｂ近傍にも、短辺１８ｂに対して平行な直線状に糊４２を塗布する。そして折罫線２８で係止板２６を第２側面板１８に正折りし、係止板２６の裏面と第２側面板１８の裏面は糊４０，４２により接着される。次に第１側面板１４の裏面に、一対の長辺に沿って糊４４を直線状に各々塗布する。そして、折罫線２０で第１側面板１４を、係止板２６を挟んで第２側面板１８に正折りし、第１側面板１４の裏面と係止板２６の表面は糊４４により接着される。係止板２６と第２側面板１８の間には、糊４０による一対の直線の接着部分と、それに直角に交差する糊４２の直線の接着部分により、３方向が囲まれた袋状の収容部４６が形成される。残りの１方向が開口部４８となり、平坦な袋体のＰＴＰシート用包装体１０が完成する。
【００２１】
次に、ＰＴＰシート用包装体１０の使用方法について説明する。ＰＴＰシート用包装体１０の、第２側面板１８と係止板２６の間の収容部４６に、開口部４８から、ＰＴＰシート３２をスライドさせながら入れる。この時、ＰＴＰシート３２のプラスチック成形体３４の突出部３４ａが、係止板２６へ向かって突出する方向にセットする。この時、ＰＴＰシート３２のプラスチック成形体３４の突出部３４ａが、係止板２６の透孔３０に差し込まれて引っ掛かり、入れることができない。そこで、図５に示すようにＰＴＰシート用包装体１０の一対の長辺を片手で保持して握るように力を加えて互いに近づけるように押すと、折り曲げ線２２に逆折りするくせがつけられているため、一対の長辺が第２側面板１８の表面側に突出して互いに近づくように曲がる。そして第２側面１８の折り曲げ線２２が逆折りされて第２側面板１８の折り曲げ線２２で挟まれた中心部分が表面側に円弧状に緩やかにたわんで膨出する。また、第１側面板１４と係止板２６は、第２側面板１８の、折り曲げ線２２の外側に位置する部分とともに一対の長辺が近づくように折り曲げられ、第１側面板１４の中心側が第１側面板１４の表面側に曲げられ、第２側面板１８から離れる方向にたわむ。これにより第２側面板１８と係止板２６の間の収容部４６が広がり、ＰＴＰシート３２の突出部３４ａが係止板２６の透孔３０に引っ掛からなくなり、円滑にスライドさせることができる。
【００２２】
そしてＰＴＰシート３２を、収容部４２の底部である糊４２による接着部付近に達するまで入れ、ＰＴＰシート用包装体１０から一対の長辺を近づける押圧を解除する。すると、図４に示すように第１側面板１４と第２側面１８のたわみが解消され、収容部４６の空間が再び小さくなって、ＰＴＰシート３２のプラスチック成形体３４突出部３４ａが係止板２６の透孔３０に差し込まれて引っ掛かり、ロックされる。
【００２３】
ＰＴＰシート３２は、ＰＴＰシート用包装体１０に収容されたとき、開口部４８に位置する凹部１６，２４，３１から端部が僅かに突出し、錠剤３６を使用するときにＰＴＰシート３２を引き抜くときの手がかりとなる。また、第２側面板１８の短辺１８ａが浅い位置にあるため、ＰＴＰシート３２の端部に設けられた表示部３９が露出し、印刷された商品名を見ることができる。
【００２４】
ＰＴＰシート３２の、凹部１６，２４，３１から突出する端部を保持して、開口部４８から引き抜くように力を入れても、ＰＴＰシート３２の突出部３４ａがＰＴＰシート用包装体１０の係止板２６にロックされているためスライドさせることができず、子供が不用意に取り出すことを防ぐ。
【００２５】
錠剤３６を使用する時は、図５に示すように、ＰＴＰシート用包装体１０の一対の長辺を片手で左右から保持して握るように力を加えて互いに近づけるように押し収容部４６を広げ、この時ＰＴＰシート３２も第２側面板１８に沿って曲げられ、係止板２６をＰＴＰシート３２から離してロックを解除する。もう一方の手でＰＴＰシート３２を保持して引き出し、ＰＴＰシート用包装体１０から取り出す。
【００２６】
この後、錠剤３６を取り出すために、ＰＴＰシート３２の突出部３４ａを押すと、錠剤３６がＰＴＰシート３２の薄形シート３８に押し付けられて、薄形シート３８が破断し、錠剤３６がＰＴＰシート３２から取り出される。なお、使用した残りの錠剤３６が収容されたＰＴＰシート３２は、包装と同じ手順で、ＰＴＰシート用包装体１０の中に収容する。
【００２７】
この実施形態のＰＴＰシート用包装体１０によれば、紙製の一枚の包装体形成片１２を組み立てて平坦な袋体に作られた簡単な構造であり、ＰＴＰシート３２を保護することができ、またＰＴＰシート３２を簡単にロックして子供が取り出すことは難しく、大人には簡単にロックを解除して取り出しやすいものである。ＰＴＰシート３２を取り出すためにＰＴＰシート用包装体１０を片手で左右から握るように力を加える際に、ある程度の力と手の大きさが必要で、子供の力や手の大きさでは開封を制限することができる。
【００２８】
また、このＰＴＰシート用包装体１０は、一般的な市販のＰＴＰシート３２を収容することができ、便利である。袋体で使用しやすい形状であり、簡易的にチャイルドロック効果を有し、手軽に使用することができる。構造が簡単であり、コストが安価で、組立効率が良い。さらに、薄形でコンパクトな形状であり、花粉症等の錠剤の持ち運び用携帯包装としても便利である。薬局で手軽に利用することができ、使用者がＰＴＰシート３２の紛失を防止し、また不用意にＰＴＰシート３２から錠剤３６が出ることを防ぐことができ、付加価値を高めるものである。第２側面板１８に折り曲げ線２２が設けられ、長辺を押すと簡単に第２側面板１８が表面側に膨出するようにたわみ、ワンタッチで簡単にロックを解除することができる。操作が単純で簡単であり、手の不自由な人や力がない人にも使用しやすいものである。
【００２９】
次にこの発明の第二実施形態について図６〜図９に基づいて説明する。なお、ここで、上記実施形態と同様の部材は同様の符号を付して説明を省略する。この実施形態のＰＴＰシート用包装体５０は、紙製の一枚のブランクシートを打ち抜いて形成された包装体形成片５２で作られている。
【００３０】
図７は包装体形成片５２を表面から見た展開図であり、包装体形成片５２は、一方向に長い矩形の第１側面板５４が設けられている。第１側面板５４は、収容するＰＴＰシート３２の大きさに対して、短辺５４ａ，５４ｂはＰＴＰシート３２の幅より長く設けられ、短辺５４ａ，５４ｂに交差する長辺はＰＴＰシート３２の長手方向とほぼ同じ長さで設けられている。第１側面板５４の、一方の短辺５４ａの中心には、係止板５６が折罫線５８で区切られて設けられている。係止板５６は、短辺５４ａに対して斜めに傾斜して連続する一対の傾斜部５６ａと、短辺５４ａに対して平行に位置する直線部５６ｂとで囲まれた台形状に設けられている。直線部５６ｂの中心には、外側へ向かう矩形の小形の凸部５６ｃが連続して形成されている。凸部５６ｃと直線部５６ｂの境界部分は角部が面取りされて曲線となっている。直線部５６ｂは、ＰＴＰシート３２の突出部３４ａに当接してロックする当接縁部６５となる。
【００３１】
第１側面板５４の、短辺５４ａ，５４ｂに交差する一対の長辺の、図７において右側に位置する一方には、矩形の第２側面板６０が、折罫線６２で区切られて設けられている。第２側面板６０は第１側面板５４とほぼ同じ大きさの矩形である。第２側面板６０の、短辺５４ａに連続する短辺６０ａの中心には、切欠部６４が設けられている。切欠部６４は、係止板５６を折罫線５８で折り返した形状よりも少し大きいネガ形状である。切欠部６４は、短辺６０ａに対して斜めに傾斜して連続する一対の傾斜部６４ａと、短辺６０ａに対して平行に位置する直線部６４ｂとで囲まれた台形状に設けられ、直線部６４ｂの中心には、第２側面板６０の中央側へくぼむ矩形の小形の凹部６４ｃが連続して形成されている。凹部６４ｃと直線部６４ｂの境界部分は角部が面取りされて曲線となっている。
【００３２】
第２側面板６０には、短辺６０ａ，６０ｂに交差する一対の長辺の少し内側に、長辺に対してほぼ平行な直線である折り曲げ線６６が各々設けられている。一対の折り曲げ線６６は、切欠部６４の、傾斜部６４ａと直線部６４ｂの境界部分に連続し、短辺６０ａと反対側の短辺６０ｂに達している。折り曲げ線６６には、折り曲げやすいように破断線が所定間隔で設けられている。一対の折り曲げ線６６の間隔は、ＰＴＰシート３２の幅より広く設定されている。
【００３３】
次に、ＰＴＰシート用包装体５０の組立方法について説明する。ここでは、図７が包装体形成片５２の表面を見たものであり、包装体形成片５２の表面が凸になる折り方を正折り、そして裏面が凸になる折り方を逆折りと称する。
【００３４】
まず、第２側面板６０の一対の折り曲げ線６６を、鈍角に裏折りし、再び平坦に伸ばし、裏折しやすいようにくせをつける。次に第２側面板６０の裏面に、折り曲げ線６６と長辺の間の部分に、糊６８を折り曲げ線６６に対して平行な直線状に各々塗布する。また、短辺６０ｂ近傍にも、短辺６０ｂに対して平行な直線状に糊７０を塗布する。そして折罫線６２で第１側面板５４を第２側面板６０に正折りし、第１側面板５４の裏面と、第２側面板６０の裏面は糊６８，７０により接着される。第１側面板５４と第２側面板６０の間には、糊６８による一対の直線の接着部分と、それに直角に交差する糊７０の直線の接着部分により、３方向が囲まれた袋状の収容部７２が形成される。残りの１方向が開口部７４となり、平坦な袋体のＰＴＰシート用包装体５０が完成する。この時、開口部７４には第１側面板５４の短辺５４ａが位置し、短辺５４ａに、折罫線５８を介して係止板５６が外側へ向かって突出している。
【００３５】
次に、ＰＴＰシート用包装体５０の使用方法について説明する。ＰＴＰシート用包装体５０の開口部７４に位置する係止板５６を、折罫線５８で正折りして、図６に示すように第１側面板５４の裏面に折り返す。第２側面板６０には、係止板５６とネガ形状の切欠部６４が形成されているため、係止板５６は第２側面板６０にぶつかることなく、第１側面板５４に重ねられる。そして開口部７４からＰＴＰシート３２をスライドさせながら入れる。この時、ＰＴＰシート３２のプラスチック成形体３４の突出部３４ａが、第１側面板５４と係止板５６へ向かって突出する方向にセットする。すると、ＰＴＰシート３２のプラスチック成形体３４突出部３４ａは係止板５６の表面を摺動して通過し、一番開口部７４に近い一対の突出部３４ａが通過した後、二つ折りされていた係止板５６が折罫線５８の部分の弾性力で角度がわずかに開いて第１側面板５４から起き上がる。そして係止板５６は、凸部５６ｃがＰＴＰシート３２のプラスチック成形体３４フランジ部３４ｂに当接し、直線部５６ｂである当接縁部６５が一番開口部７２に近い一対の突出部３０ａの開口部７４側の側面に当接し、開口部７４から引く抜くことができず、ロックされる。
【００３６】
ＰＴＰシート３２は、ＰＴＰシート用包装体５０に収容されたとき、開口部７４に位置する切欠部６４から端部が僅かに突出し、錠剤３６を使用するときにＰＴＰシート３２を引き抜くときの手がかりとなる。また、切欠部６４に、ＰＴＰシート３２の表示部３９が露出し、印刷された商品名を見ることができる。
【００３７】
ＰＴＰシート３２の、切欠部６４から突出する端部を保持して、開口部７４から引き抜くように力を入れても、ＰＴＰシート３２の突出部３４ａがＰＴＰシート用包装体５０の係止板５６にロックされているためスライドさせることができず、子供が不用意に取り出すことを防ぐ。
【００３８】
錠剤３６を使用するときは、図９に示すように、ＰＴＰシート用包装体５０の開口部７４近傍で、一対の長辺を片手で左右から保持して握るように力を加えて互いに近づけるように押す。すると、第２側面板６０折り曲げ線６６に逆折りするくせがつけられているため、一対の長辺が第２側面板６０の表面側に突出して互いに近づくように曲がる。そして第２側面板６０の折り曲げ線６６が逆折りされて第２側面板６０の折り曲げ線６６で挟まれた中心部分が表面側に円弧状に緩やかにたわんで膨出する。また第１側面板５４は、第２側面板６０の、折り曲げ線６６の外側に位置する部分とともに一対の長辺が近づくように折り曲げられ、第１側面板５４の中心側が第１側面板５４の表面側に曲げられ、第２側面板６０から離れる方向にたわむ。そして係止板５６も第１側面板５４とともに第２側面板６０から離れる方向にたわみ、弾性力で少し角度が開いていた折罫線５８が確実に二つ折りされ、係止板５６が第１側面板５４に重ねられ、ＰＴＰシート３２から離れて引っ掛からなくなり、ロックを解除する。もう一方の手でＰＴＰシート３２を保持して引き出し、ＰＴＰシート用包装体５０から取り出す。そしてＰＴＰシート３２の突出部３４ａを押す。錠剤３６がＰＴＰシート３２の薄形シート３８に押し付けられて薄形シート３８が破断し、錠剤３６がＰＴＰシート３２から取り出される。なお、使用した残りの錠剤３６が収容されたＰＴＰシート３２は、包装と同じ手順で、ＰＴＰシート用包装体５０の中に収容する。
【００３９】
この実施形態のＰＴＰシート用包装体５０によれば、上記実施の形態と同様の効果を有するものである。ＰＴＰシート３２のロックと解除は、係止板５６の第１側面板５４に対する角度で行われ、操作がより簡単である。また、包装体形成片５２が小形であり、コストが安価で組み立てる作業が容易である。厚みが小さいため、よりコンパクトに収納することができ、保管や運搬の際に便利である。
【００４０】
なお、この発明のＰＴＰシート用包装体は、上記各実施形態に限定されるものではなく、収容する錠剤の数は適宜変更可能であり、ＰＴＰシートの突出部の数に合わせて係止板の透孔の数や大きさ等を変更して簡単に対応することができる。ＰＴＰシートの素材も関係なく、いろいろなものに対応することができる。収容される錠剤は、薬剤に限らず他の商品でもよい。また、各部材の連接する順番や糊付位置、組み立てる順番等は適宜変更可能である。ＰＴＰシート用包装体の素材は、紙以外にプラスチック等、折罫線で折り角度を自由に変化させることができるものであればよい。
【符号の説明】
【００４１】
１０，５０  ＰＴＰシート用包装体
１２，５２  包装体形成片
１４，５４  第１側面板
１８，６０  第２側面板
２２，６６  折り曲げ線
２６，５６  係止板
３０  透孔
３２  ＰＴＰシート
３４  プラスチック成形体
３４ａ  突出部
３４ｂ  フランジ部
３６  錠剤
３８  薄形シート
６５  当接縁部
【図１】
0006509034.tif 000002
【図２】
0006509034.tif 000003
【図３】
0006509034.tif 000004
【図４】
0006509034.tif 000005
【図５】
0006509034.tif 000006
【図６】
0006509034.tif 000007
【図７】
0006509034.tif 000008
【図８】
0006509034.tif 000009
【図９】
0006509034.tif 000010